(57)【要約】【課題】  横方向と縦方向の集光機能を同時に具え、水平及び垂直の視角の制御が容易で、液晶表示装置の視角の規格に係る要求に適合したプリズム集光フィルムを提供する。【解決手段】  ベースと、該ベースの表面に形成されるプリズム層とによって構成し、該プリズム層が、交互に交錯して配列される複数の横方向のプリズム状微構造と、複数の縦方向のプリズム状微構造とによって、一体に構成する。【選択図】  図２
0003114140.tif 000002
【実用新案登録請求の範囲】
【請求項１】
ベースと、該ベースの表面に形成されるプリズム層とによって構成されるプリズム集光フィルムであって、
該プリズム層が、交互に交錯して配列される複数の横方向のプリズム状微構造と、複数の縦方向のプリズム状微構造とによって、一体に構成されてなることを特徴とするプリズム集光フィルム。
【請求項２】
前記プリズム状微構造の斜面が、内方向に窪むか、もしくは外方向に凸出する円弧面であることを特徴とする請求項１に記載するプリズム集光フィルム。
【請求項３】
前記プリズム状微構造の上部と底部に円弧角を形成することを特徴とする請求項１に記載するプリズム集光フィルム。
【請求項４】
前記プリズム状微構造同士の底端の間の距離が、０か、もしくは０を超える数値であることを特徴とする請求項１に記載するプリズム集光フィルム。
【請求項５】
前記プリズム状微構造の頂角が１度から１７９度までの範囲内の角度であることを特徴とする請求項１に記載するプリズム集光フィルム。
【請求項６】
前記プリズム状微構造の高さが、該ベース表面に沿って上方向に凸出した高さであることを特徴とする請求項１に記載するプリズム集光フィルム。
【請求項７】
前記プリズム状微構造の交互に交錯する角度が１度から１７９度までの範囲内の角度であることを特徴とする請求項１に記載するプリズム集光フィルム。
【請求項８】
前記プリズム状微構造の配列方向が、該プリズム集光フィルムの外形に対して１度から１７９度までの範囲内の角度であることを特徴とする請求項１に記載するプリズム集光フィルム。
【請求項９】
前記プリズム集光フィルムのプリズム層と該ベースとが、同一の材質か、もしくは異なる材質によってなることを特徴とする請求項１に記載するプリズム集光フィルム。
【請求項１０】
前記プリズム集光フィルムの底部に光線を拡散させる構造を形成し、該光線の拡散構造が、該プリズム集光フィルムの底部に直接押し型成形されるか、もしくは拡散材料で被覆して一体に形成されることを特徴とする請求項１に記載するプリズム集光フィルム。
【請求項１１】
前記プリズム集光フィルムが、１枚か、もしくは複数枚を重ね合わせるか、または複数枚積層して一体に構成することを特徴とする請求項１に記載するプリズム集光フィルム。
【考案の詳細な説明】
【技術分野】
【０００１】
この考案は、プリズム集光フィルムに関し、特に液晶表示器のバックライトモジュールの集光に使用するプリズム集光フィルムに関するものである。
【背景技術】
【０００２】
従来の液晶表示器は、液晶パネルとライトガイドとの間に１枚、もしくは２枚の集光フィルムと拡散フィルムが設ける。ライトガイドによってガイドされた光線は、拡散フィルムを通過して集光フィルムの上部に集中し、液晶パネルの正面に集光する。このため画像を表示するための好ましい輝度が得られる。
【０００３】
図１に、従来の集光フィルムの構造を開示する。図面によると、ベース１と、該ベース１の表面に形成されるプリズム層２とを含んで構成される。該プリズム層は、断面が三角形を呈する棒状のプリズム状微構造を同一方向に複数本直線状に配列して構成し、光の屈折の原理によって照射された光線は導光パネル、拡散フィルムを過通してそれぞれのプリズム状微構造の先端に集中し、表示装置に正面に集光する。
【０００４】
集光フィルムは表示装置の画面の輝度を高めるために用いられる。但し、照射される光線の集光効果が高まるにつれて表示装置の視角は相対的に狭くなる。従来の集光フィルムは、プリズム層の構造の形態によって制限を受ける。通常、表示装置の水平もしくは垂直の視角の内、いずれか一方の規格のニーズにしか適合させることができない。
【考案の開示】
【考案が解決しようとする課題】
【０００５】
上述するように液晶表示装置の輝度を増すとともに、水平と垂直の視覚のいずれについても、液晶表示装置の規格の要求を達成できるプリズム集光フィルムの構造が望まれている。
【０００６】
そこで、この考案は、横方向と縦方向の集光機能を同時に具え、水平及び垂直の視角の制御が容易で、液晶表示装置の視角の規格に係る要求に適合したプリズム集光フィルムを提供することを課題とする。
【課題を解決するための手段】
【０００７】
そこで、本考案者は従来の技術に見られる欠点に鑑みて鋭意研究を重ねた結果、ベースと、該ベースの表面に形成されるプリズム層とによって構成されるプリズム集光フィルムであって、該プリズム層が、交互に交錯して配列される複数の横方向のプリズム状微構造と、複数の縦方向のプリズム状微構造とによって、一体に構成されてなるプリズム集光フィルムによって本考案の課題を解決できる点に着眼し、かかる知見に基づいて本考案を完成させた。
以下、この考案について具体的に説明する。
【０００８】
請求項１に記載するプリズム集光フィルムは、ベースと、該ベースの表面に形成されるプリズム層とによって構成されるプリズム集光フィルムであって、
該プリズム層が、交互に交錯して配列される複数の横方向のプリズム状微構造と、複数の縦方向のプリズム状微構造とによって、一体に構成されてなる。
【０００９】
請求項２に記載するプリズム集光フィルムは、請求項１におけるプリズム状微構造の斜面が、内方向に窪むか、もしくは外方向に凸出する円弧面である。
【００１０】
請求項３に記載するプリズム集光フィルムは、請求項１におけるプリズム状微構造の上部と底部に円弧角を形成する。
【００１１】
請求項４に記載するプリズム集光フィルムは、請求項１におけるプリズム状微構造同士の底端の間の距離が、０か、もしくは０を超える数値である。
【００１２】
請求項５に記載するプリズム集光フィルムは、請求項１におけるプリズム状微構造の頂角が１度から１７９度までの範囲内の角度である。
【００１３】
請求項６に記載するプリズム集光フィルムは、請求項１におけるプリズム状微構造の高さが、該ベース表面に沿って上方向に凸出した高さである。
【００１４】
請求項７に記載するプリズム集光フィルムは、請求項１におけるプリズム状微構造の交互に交錯する角度が１度から１７９度までの範囲内の角度である。
【００１５】
請求項８に記載するプリズム集光フィルムは、請求項１におけるプリズム状微構造の配列方向が、該プリズム集光フィルムの外形に対して１度から１７９度までの範囲内の角度である。
【００１６】
請求項９に記載するプリズム集光フィルムは、請求項１におけるプリズム集光フィルムのプリズム層と該ベースとが、同一の材質か、もしくは異なる材質によってなる。
【００１７】
請求項１０に記載するプリズム集光フィルムは請求項１におけるプリズム集光フィルムの底部に光線を拡散させる構造を形成し、該光線の拡散構造が、該プリズム集光フィルムの底部に直接押し型成形されるか、もしくは拡散材料で被覆して一体に形成される。
【００１８】
請求項１１に記載するプリズム集光フィルムは、請求項１におけるプリズム集光フィルムが、１枚か、もしくは複数枚を重ね合わせるか、または複数枚積層して一体に構成することを特徴とする請求項１に記載するプリズム集光フィルム。
【考案の効果】
【００１９】
この考案のプリズム集光フィルムは、横方向プリズム状微構造と、縦方向プリズム状微構造とを組み合わせて一体にしてプリズム層を形成するため、製造コストを下げることができるとともに、横方向プリズム状微構造と縦方向垂直プリズム状微構造の先端、高さ、形状の違いにより液晶表示器の視角に対する規格の需要に応じた最も優れた水平、垂直視角を得ることができる効果を有する。
【考案を実施するための最良の形態】
【００２０】
この考案は、プリズム集光フィルムに関し、特に液晶表示器のバックライトモジュールの集光に使用するプリズム集光フィルムに関するものであって、ベースと、該ベースの表面に設けられたプリズム層から構成し、該プリズム層は、複数の横方向プリズム状微構造と複数の縦方向垂直プリズム状微構造が交互に配列して一体に組み合わせて形成することによって、横向きや垂直な集光機能を具え、水平及び垂直の視角を調節に便利で、液晶表示器の視角の規格に応じることができるという目的を達成した。
係る構成のプリズム集光フィルムついて、その構造と特徴を詳述するために具体的な実施例を挙げ、以下に説明する。
【実施例】
【００２１】
図２、図３に、この考案の実施例を開示する。図面によれば、プリズム集光フィルム１０は、ベース１１と、該ベース１１の表面に形成されるプリズム層１２とによって構成される。プリズム層１２は、複数の横方向のプリズム状微構造１３と、複数の縦方向のプリズム状微構造１４とを交互に交差させて配列し、一体に形成する。
【００２２】
横方向のプリズム状微構造１３と、縦方向のプリズム状微構造１４が交差する角度Ｄは、好ましくは直角とする。但し、１度から１７９度までの範囲における任意の角度であってよい。
【００２３】
図４、図５に開示するように、プリズム層１２を構成するプリズム状微構造１３、プリズム状微構造１４は、上端の稜線に沿って両側に斜面１３ａ、１３ｂ、１４ａ、１４ｂを形成し、断面が三角形を呈するように形成される。このため、プリズム層全体におけるそれぞれのプリズム状微構造１３、１４は、隣接する４つの斜面が交差する場所に位置し、いずれも４つの三角形の斜面によってなるテーパー状の集光単位が形成される。よってこの考案によるプリズム集光フィルム１０は横方向と縦方向の集光能力を同時に具える。
【００２４】
液晶表示装置の水平の視角と垂直の視角は、プリズム状微構造の頂上角、高度、もしくは形状等の違いによって変化する。このため、図６、図７に開示するように、この考案におけるプリズム層１２の横方向と縦方向のプリズム状微構造１３、１４の高さｈ、ｈ’は、液晶表示装置の視角の規格に基づいて、ベースの表面から上方に突出する任意の同等か、もしくは非同等の数値とすることができる。または図８に開示するように、プリズム層１２の横方向と縦方向のプリズム状微構造１３、１４の頂角を１度から１７９度までの範囲の任意で，且つ同等、もしくは非同等の角度とし、これによって最も好ましい水平と垂直の視覚が同時に得られる。
【００２５】
上述するプリズム状微構造は、上端の稜線に沿って両側に斜面を形成するが、その他幾何形状の斜面を選択してもよい。図９に開示するように、プリズム状微構造１３、１４の斜面を内方向に窪ませるか、もしくは外方向に凸出する円弧面１５としてもよい。この場合、それぞれのプリズム状微構造１３、１４の受光面積と屈折範囲が拡大する
【００２６】
また、図２、図３に開示するように、この考案の集光フィルム１０上の横方向、縦方向のプリズム状微構造１３、１４は、集光フィルムの外形に合わせた方向に配列する。但し、表示装置の異なる方向の視覚の規格に合わせるために、図１３に開示するように、１度から１７９度の角度の範囲における任意の角度で配列してもよい。
【００２７】
この考案によるプリズム集光フィルムは、プリズム層１２とベース１１とを同一の材質とするか、もしくは異なる材料として一体に形成する。また、図１０に開示するように、プリズム状微構造１３、１４の間の底面の距離Ｆは０か、もしくは０を越す任意の同等か、もしくは異なる値とし、且つそれぞれのプリズム状微構造の上部と底部に円弧角Ｒを形成してもよい。
【００２８】
構成部分を一体化して製造コストを低減させることは、技術の趨勢といえる。図１１に開示するようにこの考案によるプリズム集光フィルム１０の底部は、直接押し型成形部２０を形成するか、もしくは拡散材料２１で被覆する方法によって、光線を拡散させる構造を形成して光線の拡散機能を得る。
【００２９】
以上をまとめると、この考案によるプリズム集光フィルム１０は横方向、縦方向のプリズム状微構造１３、１４を交錯して配列し、プリズム層１２を構成することによって、横方向と縦方向の集光機能を同時に得ることを特徴とする。更に、横方向、縦方向のプリズム状微構造１３、１４頂角、高さ、形状などの差異を制御することによって最も好ましい水平と垂直の視覚の効果が得られる。よって、この考案によるプリズム集光フィルム１０の全体的な構造が、そのプリズム層の構成要素と実質的な応用の範囲を離れない条件下において実施例に開示するようにプリズム集光フィルム１０を１枚単独で用いる使用形態以外に、図１２に開示するように、プリズム集光フィルム１０を２枚（もしくは２枚以上）重ねるか、もしくは一体に積層して構成する応用形態にしてもよい。
【００３０】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００３１】
【図１】従来の集光フィルムの斜視図である。
【図２】この考案のプリズム集光フィルムの斜視図である。
【図３】図１に開示したプリズム集光フィルムの平面図である。
【図４】図１に開示したプリズム集光フィルムの部分拡大図である。
【図５】図１に開示したプリズム集光フィルムの部分拡大側面図。
【図６】図１に開示したプリズム集光フィルムのプリズム状微構造の部分拡大図である。
【図７】図６に開示したプリズム集光フィルムのプリズム状微構造の部分断面図である。
【図８】図１に開示したプリズム集光フィルムのプリズム状微構造の他の部分断面図である。
【図９】図１に開示したプリズム集光フィルムのプリズム状微構造のその他部分断面図である。
【図１０】図１に開示したプリズム集光フィルムのプリズム状微構造の部分断面図である。
【図１１】図１に開示したプリズム集光フィルムのプリズム状微構造の他の部分断面図である。
【図１２】図１に開示したプリズム集光フィルムの説明図である。
【図１３】図１に開示したプリズム集光フィルムの他の説明図である。
【符号の説明】
【００３２】
１        ベース
２        プリズム層
３        プリズム状微構造
１０      プリズム集光フィルム
１１      ベース
１２      プリズム層
１３      プリズム状微構造
１３ａ    斜面
１３ｂ    斜面
１４      プリズム状微構造
１４ａ    斜面
１４ｂ    斜面
Ｄ        角度
Ｅ        先端角
Ｆ        底辺の距離
ｈ        高さ
ｈ’      高さ
Ｒ        弧角
１５      円弧面
２０      押し型成形部
２１      拡散材料
【図１】
0003114140.tif 000003
【図２】
0003114140.tif 000004
【図３】
0003114140.tif 000005
【図４】
0003114140.tif 000006
【図５】
0003114140.tif 000007
【図６】
0003114140.tif 000008
【図７】
0003114140.tif 000009
【図８】
0003114140.tif 000010
【図９】
0003114140.tif 000011
【図１０】
0003114140.tif 000012
【図１１】
0003114140.tif 000013
【図１２】
0003114140.tif 000014
【図１３】
0003114140.tif 000015